(57)【要約】【課題】製品コストの上昇を抑制しつつ、雰囲気温度に影響されることなく精度良く電流値を検出することができる電流センサを提供すること。【解決手段】環状のコア１０を備え、コア１０の内側に挿入される被検出線３２に流れる電流の電流値を計測する電流センサ１において、被検出線３２に対して並列に配置された参照電流線２６と、参照電流線２６に既知の電流値の電流を流す電流源回路２８と、電流源回路２８により参照電流線２６に既知の電流値の電流を流したときのセンサ出力の増加分に基づき、センサ出力を補正して被検出線３２に流れる電流の電流値を算出する演算処理回路３０とを有する。【選択図】  図１
2012063331.tif 000002
【特許請求の範囲】
【請求項１】
環状のコアを備え、前記コアの内側に挿入される被検出線に流れる電流の電流値を計測する電流センサにおいて、
被検出線に対して並列に配置された参照電流線と、
前記参照電流線に既知の電流値の電流を流す電流源回路と、
前記電流源回路により前記参照電流線に既知の電流値の電流を流したときのセンサ出力の増加分に基づき、センサ出力を補正して被検出線に流れる電流の電流値を算出する演算処理手段と、
を有することを特徴とする電流センサ。
【請求項２】
請求項１に記載する電流センサにおいて、
前記演算処理手段は、入出力特性がリニアである場合、前記センサ出力の増加分からそのときの入出力特性を求め、その求めた入出力特性を用いて被検出線に流れる電流の電流値を算出する
ことを特徴とする電流センサ。
【請求項３】
請求項１に記載する電流センサにおいて、
前記演算処理手段は、被検出線に電流が流れていない状態で前記参照電流線に既知の電流値の電流を流したときのセンサ出力の増加分に基づき、予め記憶された複数の入出力特性からそのときの入出力特性を求め、その求めた入出力特性を用いて被検出線に流れる電流の電流値を算出する
ことを特徴とする電流センサ。
【請求項４】
請求項１から請求項３に記載するいずれか１つの電流センサにおいて、
前記参照電流線が前記コアに巻回されている
ことを特徴とする電流センサ。
【請求項５】
請求項１から請求項４に記載するいずれか１つの電流センサにおいて、
励磁コイルと検出コイルとを備え、
前記コアは、ケースに収容した磁性流体により形成されており、
前記励磁コイル及び検出コイルが前記コアに巻回されて磁気ブリッジを構成している
ことを特徴とする電流センサ。
【請求項６】
請求項１から請求項４に記載するいずれか１つの電流センサにおいて、
前記コアにはギャップが設けられており、前記ギャップに磁気センサが配置されている
ことを特徴とする電流センサ。
【発明の詳細な説明】
【技術分野】
【０００１】
本発明は、環状のコアを備え、環状コアの内側に挿入された被検出線に流れる電流の電流値を検出する電流センサに関するものである。より詳細には、雰囲気温度に影響されることなく正確に電流値を検出することができる電流センサに関するものである。
【背景技術】
【０００２】
従来、ＨＶ（ハイブリッドカー）やＥＶ（電気自動車）のモータやバッテリにおいて、充電時や放電時に流れる電流などの電流値を検出する電流センサが存在する。ここで、モータやバッテリに出入りする電流を測定する際に用いられる電流センサにおいて、磁気コアとして磁性流体を用いた電流センサが開示されている（特許文献１）。
【０００３】
ところが、ＨＶやＥＶに搭載される電流センサの場合、雰囲気温度が広範囲で変化する（温度変化が大きい）ため、コアの温度特性が変化してしまい、電流値を精度良く検出することができないおそれがある。特に、磁性流体は、その特性からヒステリシス誤差は小さいが、温度変化による出力電流値の誤差が大きいため、使用されるすべての温度範囲において、正確に電流値を検出することができない。
【０００４】
そのため、感温素子をコアに近接して配置して、感温素子によりコアの周囲の温度を測定し、この感温素子の測定結果をもとに電流センサの出力電流値を補正する電流センサが提案されている（特許文献２）。
【先行技術文献】
【特許文献】
【０００５】
【特許文献１】特許第４３１０３７３号公報
【特許文献２】特開２００３−２６２６５５号公報
【発明の概要】
【発明が解決しようとする課題】
【０００６】
しかしながら、特許文献２に記載の技術では、コアの周囲の温度を測定するため、磁性流体自体の温度を正確に測定できない。そのため、温度変化による電流センサの出力電流値の誤差を正確に補正することができず、雰囲気温度に影響されることなく精度良く電流値を検出することができない。
また、感温素子を新たに設ける必要があり、部品点数や製造工程などが増えるため、製品コストの上昇を招いてしまうという問題もある。
【０００７】
そこで、本発明は上記した問題点を解決するためになされたものであり、製品コストの上昇を抑制しつつ、雰囲気温度に影響されることなく精度良く電流値を検出することができる電流センサを提供することを目的とする。
【課題を解決するための手段】
【０００８】
上記課題を解決するためになされた本発明の一形態は、環状のコアを備え、前記コアの内側に挿入される被検出線に流れる電流の電流値を計測する電流センサにおいて、被検出線に対して並列に配置された参照電流線と、前記参照電流線に既知の電流値の電流を流す電流源回路と、前記電流源回路により前記参照電流線に既知の電流値の電流を流したときのセンサ出力の増加分に基づき、センサ出力を補正して被検出線に流れる電流の電流値を算出する演算処理手段と、を有することを特徴とする。
【０００９】
この電流センサでは、演算処理手段により、参照電流線に既知の電流値の電流を流したときのセンサ出力の増加分に基づいてセンサ出力が補正される。ここで、参照電流線に既知の電流値の電流を流したときのセンサ出力の増加分が判れば、参照電流線に既知の電流値の電流を流す前と流したときにおける入出力特性を把握することができる。そして、その入出力特性からセンサ出力を適切に補正することができる。つまり、感温素子を設けなくても、センサ出力を適切に補正することができる。これにより、製品コストの上昇を抑制しつつ、雰囲気温度に影響されることなく精度良く電流値を検出することができる。
【００１０】
そして、具体的には上記した電流センサにおいて、前記演算処理手段は、入出力特性がリニアである場合、前記センサ出力の増加分からそのときの入出力特性を求め、その求めた入出力特性を用いて被検出線に流れる電流の電流値を算出すればよい。
【００１１】
このように入出力特性がリニアである場合には、センサ出力の増加分からそのときの入出力特性、つまりある雰囲気温度における被検出電流−出力電圧直線を求めることができる。そして、その被検出電流−出力電圧直線を用いることにより、被検出線に流れる電流の電流値を精度良く検出することができる。
【００１２】
あるいは、上記した電流センサにおいて、前記演算処理手段は、被検出線に電流が流れていない状態で前記参照電流線に既知の電流値の電流を流したときのセンサ出力の増加分に基づき、予め記憶された複数の入出力特性からそのときの入出力特性を求め、その求めた入出力特性を用いて被検出線に流れる電流の電流値を算出してもよい。
【００１３】
このように被検出電流がゼロのタイミングを用いることにより、入出力特性がリニアでない場合であっても、センサ出力の増加分から入出力特性を決定することができる。すなわち、入出力特性がリニアでない場合には、ある雰囲気温度における被検出電流−出力電圧曲線を取得することができる。また、入出力特性がリニアである場合には、ある雰囲気温度における被検出電流−出力電圧直線を取得することができる。そして、その被検出電流−出力電圧曲線、又は被検出電流−出力電圧直線を用いることにより、被検出線に流れる電流の電流値を精度良く検出することができる。
【００１４】
上記した電流センサにおいて、前記参照電流線が前記コアに巻回されていることが望ましい。
【００１５】
このような構成にすることにより、参照電流線に流す電流を小さくすることができるため、電流源回路を小さくすることができる。これにより、製品の小型化及び低コスト化を図ることができる。
【００１６】
上記した電流センサにおいて、励磁コイルと検出コイルとを備え、前記コアは、ケースに収容した磁性流体により形成されており、前記励磁コイル及び検出コイルが前記コアに巻回されて磁気ブリッジを構成していてもよい。
【００１７】
このような磁性流体を用いた磁気ブリッジ型の電流センサであっても、上記した効果を得ることができるため、被検出線に流れる電流の電流値を精度良く検出することができる。
【００１８】
上記した電流センサにおいて、前記コアにはギャップが設けられており、前記ギャップに磁気センサが配置されていてもよい。
【００１９】
このような磁気センサを用いた電流センサでも、上記した効果を得ることができるため、被検出線に流れる電流の電流値を精度良く検出することができる。
【発明の効果】
【００２０】
本発明に係る電流センサによれば、上記した通り、製品コストの上昇を抑制しつつ、雰囲気温度に影響されることなく精度良く電流値を検出することができる。
【図面の簡単な説明】
【００２１】
【図１】第１の実施の形態に係る電流センサの全体構成を示す図である。
【図２】磁気コアの断面図である。
【図３】図２のＡ−Ａ断面図である。
【図４】演算処理回路において実行される演算処理の内容を示すフローチャートである。
【図５】電流センサの入出力特性を示す図である。
【図６】第２の実施の形態に係る電流センサの演算処理回路に記憶されている入出力特性のマップデータを説明するための図である。
【図７】第２の実施の形態に係る電流センサの演算処理回路において実行される演算処理の内容を示すフローチャートである。
【図８】他の電流センサを示す図である。
【発明を実施するための形態】
【００２２】
以下、本発明の電流センサを具体化した実施の形態について、図面に基づき詳細に説明する。
【００２３】
［第１の実施の形態］
まず、第１の実施の形態について説明する。そこで、第１の実施の形態に係る電流センサについて、図１〜図３を参照しながら説明する。図１は、第１の実施の形態に係る電流センサの全体構成を示す図である。図２は、磁気コアの断面図である。図３は、図２のＡ−Ａ断面図である。
【００２４】
図１に示すように、第１の実施の形態に係る電流センサ１は、磁気コア１０、検出コイル１２、励磁コイル１４、参照電流線２６、電流源回路２８、演算処理回路３０などを有する。そして、電流センサ１は、磁気コア１０の環内側（内周側）に被検出線３２が挿入され、その被検出線３２に流れる電流の電流値を計測するようになっている。
【００２５】
磁気コア１０は、樹脂ケース１６、第１環状磁路１８、第２環状磁路２０、第１接続磁路２２、第２接続磁路２４などを備える。なお、図１においては、説明の便宜上、磁気コア１０は樹脂ケース１６を透過させて内部の各磁路が見えるように示している。
【００２６】
樹脂ケース１６は、図２、図３に示すように、断面が略Ｈ状をなす環状の容器本体３６と、この容器本体３６の上下の開放面を塞ぐ第１蓋体３８および第２蓋体４０とから形成されている。そして、容器本体３６と第１蓋体３８とで閉鎖される空間、および容器本体３６および第２蓋体４０で閉鎖される空間にて２つの環状流路が形成されている。容器本体３６は、内周壁４２と外周壁４４とこの内外周壁の対向面をその高さの中間部で接続する形態の仕切中底４６と、この仕切中底４６において互いに１８０度離れて設けられた第１穴４８と第２穴５０とを備えている。
【００２７】
そして、上記した２つの環状流路に収容されている磁性流体によって、２つの磁路である第１環状磁路１８と第２環状磁路２０とが形成されている。また、この第１環状磁路１８と第２環状磁路２０を繋ぐ仕切中底４６の第１穴４８と第２穴５０に収容される磁性流体によって、第１接続磁路２２と第２接続磁路２４とが形成されている。磁性流体としては、例えば、強磁性微粒子を分散させたコロイド溶液を使用することができる。この磁性流体は、樹脂ケース１６に設けられた注入穴５２から注入されて充填される。なお、注入穴５２は、磁性流体の注入後にキャップ３８ａで塞がれる。
【００２８】
第１環状磁路１８、第２環状磁路２０、第１接続磁路２２、第２接続磁路２４は、磁気回路を構成するものであり磁性流体により形成されている。第１環状磁路１８、第２環状磁路２０は、環状に形成された磁路であり、本実施例では四角環状に形成されているが、これに限定されず円環状に形成されていてもよい。第１環状磁路１８と第２環状磁路２０とは、第１接続磁路２２と第２接続磁路２４とにより接続されている。
【００２９】
検出コイル１２は、磁気コア１０に発生する磁束を検出する手段であり、第１環状磁路１８と第２環状磁路２０とを一体的に巻き込むようにして、磁気コア１０の外周面の外側に巻かれている。
励磁コイル１４は、磁気コア１０を励磁する手段であり、第１接続磁路２２を巻き込むようにして、磁気コア１０の内部にて巻かれている。つまり、励磁コイル１４は、第１接続磁路２２の外周面の外側に巻かれている。
このようにして、電流センサ１は、磁気ブリッジ型センサとして構成されている。
【００３０】
参照電流線２６は、外部から既知の電流値の電流（参照電流）を流すための配線であり、被検出線３２に対して並行に配置されている。そして、参照電流線２６は、第１環状磁路１８と第２環状磁路２０とを一体的に巻き込むようにして、磁気コア１０の外周面の外側に巻かれている。これにより、電流計測時における電流センサ１の入出力特性を決定する際、参照電流線２６に流す電流を小さくすることができる。
【００３１】
電流源回路２８は、参照電流線２６に参照電流を流すための回路である。そして、電流センサ１では、上記したように参照電流線２６を磁気コア１０に巻回しているため、参照電流線２６に流す電流を小さくすることができる。これにより、電流源回路２８の小型化及び低コスト化が図られている。
【００３２】
演算処理回路３０は、検出コイル１２からの出力電圧から被検出線に流れる電流の電流値を算出するための回路である。この演算処理回路３０は、雰囲気温度に応じて検出コイル１２からの出力電圧を補正して電流値を算出するようになっている。なお、演算処理回路３０における演算処理内容については後述する。
【００３３】
このような電流センサ１は、以下のように被検出線３２に流れる電流を計測する。励磁コイル１４に交番電流を流して磁気コア１０を励磁させたときに、図１に示した磁気回路の磁気が平衡状態にあれば、検出コイル１２に磁束が検出されない。そのため、被検出電流が流れる被検出線３２を、第１環状磁路１８と第２環状磁路２０とを貫通させるように磁気コア１０の内側に配置している。これにより、図１に示した磁気回路に新たな磁束が生じるので、図１に示した磁気回路の磁気の平衡状態が崩れ、検出コイル１２と鎖交する磁束は、第１環状磁路１８と第２環状磁路２０とで大きさが異なりその和がゼロにならず、検出コイル１２に起電力が発生する。そして、電流センサ１では、この検出コイル１２に発生する起電力をもとに、演算処理回路３０により被検出線３２を流れる電流の電流値を算出する。なお、本実施の形態では、電流センサ１における被検出電流と出力電圧の関係、つまり入出力特性がリニアとなっている。
【００３４】
そこで、演算処理回路３０において実行される演算処理について、図４及び図５を参照しながら説明する。図４は、演算処理回路において実行される演算処理の内容を示すフローチャートである。図５は、電流センサの入出力特性を示す図である。
【００３５】
まず、励磁コイル１４に交番電流を流して磁気コア１０を励磁させた状態で、演算処理回路３０により、被検出線３２に流れる被検出電流が計測される（ステップＳ１）。このとき、演算処理回路３０で実際に計測されるのは、電流値ではなく被検出電流に対応する電圧値である。例えば、このステップＳ１で検出されるのは、図５に示すＡ点での電圧値である。
【００３６】
そして、電流源回路２８により参照電流線２６に参照電流が印加される（ステップＳ２）。本実施の形態では、参照電流として１０Ａの電流を参照電流線２６に印加する。このとき、演算処理回路３０により、検出コイル１２から出力される出力電圧が計測される（ステップＳ３）。例えば、このステップＳ３で検出されるのは、図５に示すＢ点での電圧値である。このとき計測された出力電圧から、参照電流線２６に参照電流を印加した際に増加した電圧増加分ΔＶ（図５のＢ点とＡ点における電圧差）が算出される。
【００３７】
次いで、参照電流の電流値（１０Ａ）と電圧増加分ΔＶから、リニアの入出力特性を示す被検出電流−出力電圧直線が決定される（ステップＳ４）。このとき決定される入出力特性が、電流検出時の雰囲気温度における入出力特性となる。例えば、このステップＳ４では、電流センサ１の入出力特性として、図５に実線で示す被検出電流−出力電圧直線が決定される。なお、被検出電流−出力電圧直線は、磁気コア１０つまり磁性流体の温度によって図５に破線で示すように変化（傾きが変化）する。
【００３８】
その後、参照電流線２６に対する参照電流の印加が停止され、演算処理回路３０により、被検出線３２に流れる電流（被検出電流）によって生じる磁束により検出コイル１２に発生した起電力（出力電圧）が検出される。そして、ステップＳ４で決定した被検出電流−出力電圧直線を用いて、このとき検出された出力電圧から被検出線３２に流れる電流の電流値が算出される（ステップＳ５）。
【００３９】
このように、電流センサ１では、電流検出時の雰囲気温度における被検出電流−出力電圧直線を決定した後に、その決定した被検出電流−出力電圧直線を用いて、被検出線３２に流れる電流を計測する。そのため、磁性流体の温度を計測しなくても、センサ出力を適切に補正することができるので、雰囲気温度の変化による被検出電流値の誤差を小さくすることができる。すわなち、雰囲気温度に影響されることなく、被検出線３２に流れる電流の電流値を精度良く検出することができる。
【００４０】
以上、詳細に説明したように第１の実施の形態に係る電流センサ１によれば、演算処理回路３０により、参照電流線２６に既知の電流値の電流を流したときのセンサ出力電圧の増加分ΔＶに基づいてセンサ出力が補正される。すなわち、出力電圧の増加分ΔＶからそのときの入出力特性、つまりある雰囲気温度における被検出電流−出力電圧直線が決定され、その被検出電流−出力電圧直線が用いられて、検出コイル１２からの出力電圧に基づき被検出線３２に流れる電流の電流値が算出される。これにより、磁性流体の温度を計測しなくても、雰囲気温度の変化による被検出電流値の誤差を小さくすることができるため、製品コストの上昇を抑制しつつ、雰囲気温度に影響されることなく、被検出線３２に流れる電流の電流値が精度良く検出することができる。
【００４１】
［第２の実施の形態］
次に、第２の実施の形態について説明する。第２の実施の形態は、第１の実施の形態と基本的な構成はほぼ同じであるが、センサの入出力特性がリニアでない点が異なっている。これに伴って演算処理回路で実行される演算処理の内容も異なっている。そのため、以下では、第１の実施の形態と同じ構成については図面に同じ符号を付してその説明を適宜省略し、第１の実施の形態との相違点について説明する。そこで、第２の実施の形態に係る電流センサに備わる演算処理回路について、図６及び図７を参照しながら説明する。図６は、第２の実施の形態に係る電流センサの演算処理回路に記憶されている入出力特性のマップデータを説明するための図である。図７は、第２の実施の形態に係る電流センサの演算処理回路において実行される演算処理の内容を示すフローチャートである。
【００４２】
演算処理回路３０は、図６に示すリニアでない被検出電流と出力電圧との関係（入出力特性）をデータ化したマップを予め記憶している。演算処理回路３０に記憶されているマップデータは、磁気コア１０つまり磁性流体の温度ごとに定まる被検出電流−出力電圧曲線のデータである。本実施の形態では、図６に破線で示すように、−３０℃、２０℃、８０℃の３つの温度における被検出電流−出力電圧曲線についてのマップデータを、演算処理回路３０に予め記憶させている。なお、演算処理回路３０に予め記憶させる被検出電流−出力電圧曲線は３本に限らず、２本であってもよいし、４本以上であってもよい。また、演算処理回路３０に予め記憶されていない温度における被検出電流−出力電圧曲線は、記憶されているデータが補完処理されることにより求められるようになっている。
【００４３】
そして、本実施の形態では演算処理回路３０において、図７に示す演算処理が実行されて、被検出線３２に流れる電流の電流値が計測される。
まず、励磁コイル１４に交番電流を流して磁気コア１０を励磁させた状態で、演算処理回路３０により、計測された被検出線３２に流れる被検出電流がゼロであるか否かが判断される（ステップＳ１０）。このとき、被検出電流がゼロであると判断された場合には（Ｓ１０：ＹＥＳ）、ステップＳ１１の処理が実行される。一方、被検出電流がゼロでないと判断された場合には（Ｓ１０：ＮＯ）、この処理ルーチンは一旦終了する。
【００４４】
ステップＳ１１では、電流源回路２８により参照電流線２６に参照電流が印加される。本実施の形態では、参照電流として１０Ａの電流を参照電流線２６に印加する。このとき、演算処理回路３０により、検出コイル１２から出力される出力電圧が計測される（ステップＳ１２）。例えば、このステップＳ１２で検出されるのは、図６に示すＣ点での電圧値である。このとき計測された出力電圧から、参照電流線２６に参照電流を印加した際に増加した電圧増加分ΔＶ（図６のゼロ点とＣ点における電圧差）が算出される。
【００４５】
次いで、参照電流の電流値（１０Ａ）と電圧増加分ΔＶから、入出力特性を示す被検出電流−出力電圧曲線が決定される（ステップＳ１３）。このとき決定される入出力特性が、電流検出時の雰囲気温度における入出力特性となる。この被検出電流−出力電圧曲線は、演算処理回路３０に予め記憶されているマップデータに基づき決定される。例えば、このステップＳ１３では、電流センサ１の入出力特性として、図６に実線で示す被検出電流−出力電圧曲線が決定される。
【００４６】
その後、参照電流線２６に対する参照電流の印加が停止され、演算処理回路３０により、被検出線３２に流れる電流（被検出電流）によって生じる磁束により検出コイル１２に発生した起電力（出力電圧）が検出される。そして、ステップＳ１３で決定した被検出電流−出力電圧曲線を用いて、このとき検出された出力電圧から被検出線３２に流れる電流の電流値が算出される（ステップＳ１４）。
【００４７】
このように、第２の実施の形態に係る電流センサでは、電流検出時の雰囲気温度における被検出電流−出力電圧曲線を決定した後に、その決定した被検出電流−出力電圧曲線を用いて、被検出線３２に流れる電流を計測する。そのため、磁性流体の温度を計測しなくても、センサ出力を適切に補正することができるので、雰囲気温度の変化による被検出電流値の誤差を小さくすることができる。すわなち、電流センサの入出力特性がリニアでない場合でも、雰囲気温度に影響されることなく、被検出線３２に流れる電流の電流値を精度良く検出することができる。
【００４８】
なお、ここでは第２の実施の形態として、入出力特性がリニアでない場合について説明したが、第２の実施の形態に係る電流センサは、入出力特性がリニアである場合にも、上記した演算処理を実行することにより、雰囲気温度に影響されることなく、被検出線３２に流れる電流の電流値を精度良く検出することができる。入出力特性がリニアである場合には、ステップＳ１３において、被検出電流−出力電圧曲線ではなく、被検出電流−出力電圧直線が決定されることになる。
【００４９】
ここで、上記した実施の形態の変形例について、図８を参照しながら簡単に説明する。図８は、他の電流センサを示す図である。この変形例は、図８に示すような他の電流センサ２に対して本発明を適用したものである。図８に示すように、電流センサ２は、磁気コア５６と磁気センサ５８などを有する。なお、磁気センサ５８としては、ホール素子やホールＩＣなどを用いることができる。そして、磁気コア５６は、樹脂ケース６０と環状磁路６２などを備える。なお、図８においては、説明の便宜上、磁気コア５６は樹脂ケース６０を透過させて内部の環状磁路６２が見えるように示している。
【００５０】
このような電流センサ２においても、上記した第１又は第２の実施の形態と同様にして入出力特性を求めることにより、電流センサ１と同様に、製品コストの上昇を抑制しつつ、雰囲気温度に影響されることなく、被検出線３２に流れる電流の電流値が精度良く検出することができる。
【００５１】
なお、上記した実施の形態は単なる例示にすぎず、本発明を何ら限定するものではなく、その要旨を逸脱しない範囲内で種々の改良、変形が可能であることはもちろんである。例えば、上記した実施の形態では、磁気コアが磁性流体で形成されている場合を例示したが、磁気コアが電磁鋼板などから形成されている場合にも本発明を適用することができる。
【００５２】
また、上記した実施の形態では、入出力特性を求め、その入出力特性を用いて被検出線３２に流れる電流の電流値を算出しているが、入出力特性を求める代わりに雰囲気温度を算出して、その温度に基づき出力電圧を補正して被検出線３２に流れる電流の電流値を算出することもできる。
【符号の説明】
【００５３】
１      電流センサ
１０    磁気コア
１２    検出コイル
１４    励磁コイル
１６    樹脂ケース
１８    第１環状磁路
２０    第２環状磁路
２２    第１接続磁路
２４    第２接続磁路
２６    参照電流線
２８    電流源回路
３０    演算処理回路
３２    被検出線
３６    容器本体
３８    第１蓋体
４０    第２蓋体
【図１】
2012063331.tif 000003
【図２】
2012063331.tif 000004
【図３】
2012063331.tif 000005
【図４】
2012063331.tif 000006
【図５】
2012063331.tif 000007
【図６】
2012063331.tif 000008
【図７】
2012063331.tif 000009
【図８】
2012063331.tif 000010